(57)【要約】【課題】外壁表面を平坦に美しく仕上げることができるとともに、目地部の防水性にも優れた外壁の無目地構造を提供する。【解決手段】隣接する外壁材１、１の目地部２を挟んだ端部外表面４、４に跨って、目地部２に沿った凹所６を形成する。この凹所６に、弾性防水テープ１１と弾性パテ材１２とを接着一体化して収容する。互いに略平滑に連続する外壁材１、１の外表面４、４及び弾性パテ材１２の外表面１５に、表面塗装２０を施す。外壁材１、１の変形や伸縮に伴って目地部２に引張応力が作用した場合、弾性防水テープ１１と弾性パテ材１２の双方がこの引張応力に対抗して目地幅の変動を規制し、弾性防水テープ１１の破断等を防止する。【選択図】図１
2008063892.tif 000002
【特許請求の範囲】
【請求項１】
隣接する外壁材（１）（１）の目地部（２）を挟んだ端部外表面（４）（４）に跨って、前記目地部（２）に沿った凹所（６）を形成して、この凹所（６）に弾性防水テープ（１１）を貼り付けて前記目地部（２）を塞ぐとともに、この弾性防水テープ（１１）を覆い隠すようにして前記凹所（６）に弾性パテ材（１２）を充填して、この弾性パテ材（１２）と前記弾性防水テープ（１１）とを接着により一体化し、前記隣接する外壁材（１）（１）の外表面（４）（４）及び前記弾性パテ材（１２）の外表面（１５）に表面塗装（２０）を施してなることを特徴とする外壁の無目地構造。
【請求項２】
前記弾性パテ材（１２）の厚みを、前記弾性防水テープ（１１）の厚みよりも厚くした請求項１記載の外壁の無目地構造。
【請求項３】
前記弾性防水テープ（１１）は、独立気泡構造の発泡樹脂からなる請求項１又は２記載の外壁の無目地構造。
【請求項４】
前記隣接する外壁材（１）（１）の外表面（４）（４）と前記弾性パテ材（１２）の外表面（１５）とを略平滑に連続させた請求項１乃至３のいずれかに記載の外壁の無目地構造。
【請求項５】
前記目地部（２）に、目地塞ぎ材（３）を充填した請求項１乃至４のいずれかに記載の外壁の無目地構造。
【発明の詳細な説明】
【技術分野】
【０００１】
この発明は、隣接する外壁材間に生じる目地部を外観上目立たなくする外壁の無目地構造に関する。
【背景技術】
【０００２】
従来より、隣接する外壁材間に生じる目地部を覆い隠して、目地部を外観上目立たなくすることで、外壁の美観を向上させるようにした外壁の無目地構造が知られている。
【０００３】
この種の無目地構造として、例えば特許文献１に開示されているように、隣接する外壁材間の目地部を弾性テープ及び目地補強塗膜によって順次覆って、これらを含めて外壁材の外表面に表面塗装を施すことで、外壁表面を仕上げるようにしたものがある。
【０００４】
【特許文献１】特開平４−２５４６５２号公報
【発明の開示】
【発明が解決しようとする課題】
【０００５】
上記の特許文献１に開示されている無目地構造においては、弾性テープの片面離形性により弾性テープと目地補強塗膜とは接着されずに両者間で滑りが可能となっているから、経年による外壁材の変形や伸縮に伴って目地幅が変動した場合、このときの応力を弾性テープの伸縮によって緩和するとともに、目地補強塗膜においては、目地幅よりも広い弾性テープ幅に相当する範囲で目地幅の変動分だけ(すなわち小さい伸縮率で)伸縮することで、目地補強塗膜及び表面塗装における亀裂の発生を防止している。
【０００６】
しかしながら、例えば地震等によって目地幅が大きく変動するような場合には、弾性テープが元の長さに復帰できない状態まで伸びきってしまったり、場合によっては弾性テープが破断するといった可能性もあり、それ以降は目地幅の変動に伴う応力を緩和することが困難となって、目地補強塗膜や表面塗装において亀裂や剥離が発生し易くなり、防水性が損なわれるといった不具合があった。
【０００７】
そこで、この発明は、上記不具合を解消して、外壁表面を平坦に美しく仕上げることができるとともに、目地部の防水性にも優れた外壁の無目地構造の提供を目的とする。
【課題を解決するための手段】
【０００８】
上記課題を解決するため、この発明の外壁の無目地構造は、隣接する外壁材１、１の目地部２を挟んだ端部外表面４、４に跨って、前記目地部２に沿った凹所６を形成して、この凹所６に弾性防水テープ１１を貼り付けて前記目地部２を塞ぐとともに、この弾性防水テープ１１を覆い隠すようにして前記凹所６に弾性パテ材１２を充填して、この弾性パテ材１２と前記弾性防水テープ１１とを接着により一体化し、前記隣接する外壁材１、１の外表面４、４及び前記弾性パテ材１２の外表面１５に表面塗装２０を施してなることを特徴とする。
【０００９】
具体的に、前記弾性パテ材１２の厚みを、前記弾性防水テープ１１の厚みよりも厚くしている。また、前記弾性防水テープ１１は、独立気泡構造の発泡樹脂からなる。さらに、前記隣接する外壁材１、１の外表面４、４と前記弾性パテ材１２の外表面１５とを略平滑に連続させている。さらにまた、前記目地部２に、目地塞ぎ材３を充填している。
【発明の効果】
【００１０】
この発明においては、隣接する外壁材の端部外表面に跨って形成した凹所内に、弾性防水テープ及び弾性パテ材を収容した状態で表面塗装を施しているので、外壁表面を平坦に美しく仕上げて、外壁の美観を向上させることができる。また、外壁材の外表面側の処理だけで済むため、一般的なシーリング材の打ち込みによる目地防水のような例えば１０ｍｍ以上といった深さを必要とせず、薄板状の外壁材であっても施工が可能となっている。
【００１１】
しかも、表面塗装や弾性パテ材だけでなく、弾性防水テープによっても雨水等の目地部への侵入を防止することができ、目地部の防水性を高めることができる。加えて、外壁材の変形や伸縮に伴って目地部に引張応力が作用した場合、互いに剥離しないように強固に接着されて一体化した弾性防水テープと弾性パテ材の双方によって引張応力に対抗して、目地幅の変動を規制することになる。これにより、弾性防水テープが元の長さに復帰できない状態まで伸びきってしまったり、弾性防水テープが破断するといった不具合を防止して、良好な防水性を安定して維持することができる。
【００１２】
また、弾性パテ材を肉厚にしたり、独立気泡構造の発泡樹脂からなる弾性防水テープを用いて弾性パテ材との接着性を高めることで、弾性防水テープをより効果的に補強することができる。
【発明を実施するための最良の形態】
【００１３】
この発明の実施の形態について、図面を参照しつつ詳細に説明する。図１及び図２は、この発明の一実施形態に係る外壁の無目地構造を示している。図において、１は、例えばサイディング材からなる外壁材であって、隣接する外壁材１、１間には目地部２が生じている。この目地部２には、例えばポリエチレン等の発泡樹脂からなる角棒状の柔軟性を有する目地塞ぎ材３が充填されている。
【００１４】
隣接する外壁材１、１の目地部２を挟んだ端部には、その外表面４、４側を目地部２に沿って略Ｌ型に切り欠いてなる切欠部５、５が夫々形成されている。そして、これら切欠部５、５によって、隣接する外壁材１、１の目地部２を挟んだ端部外表面４、４に跨って、目地部２に沿った凹所６が構成されている。
【００１５】
この凹所６の底面７には、目地部２を塞ぐようにして弾性防水テープ１１が貼り付けられている。この弾性防水テープ１１は、例えばブチルゴム、或いは、ポリエチレン等の独立気泡構造の発泡樹脂からなる。なお、弾性防水テープ１１と目地塞ぎ材３とは接着されている。
【００１６】
そして、この弾性防水テープ１１を覆い隠すようにして、凹所６に弾性パテ材１２が充填されている。この弾性パテ材１２は、例えば変性シリコーン樹脂等からなり、弾性防水テープ１１よりも厚肉で幅広とされていて、プライマーを介して弾性防水テープ１１に強固に接着されている。従って、弾性パテ材１２と弾性防水テープ１１とは、互いに剥離しないように一体化されている。なお、弾性パテ材１２の内部に、弾性防水テープ１１の幅以上の寒冷紗(ソフトクロス)を含ませて補強しても良い。
【００１７】
また、硬化した弾性パテ材１２の外表面１５は、隣接する外壁材１、１の外表面４、４と略平滑に連続しており、これら隣接する外壁材１、１の外表面４、４及び弾性パテ材１２の外表面１５には、吹き付け塗装によって表面塗装２０が施されている。
【００１８】
上記の無目地構造において、図２に示すように、目地部２の幅Ｌ１は１０〜２０ｍｍとされている。また、凹所６の幅(弾性パテ材１２の幅)Ｌ２は５０〜１２０ｍｍ、凹所６の深さ(弾性パテ材１２の厚み)Ｌ３は弾性防水テープ１１の厚みの２倍の１〜３ｍｍとされている。さらに、弾性防水テープ１１の幅Ｌ４は、少なくとも目地部２の幅Ｌ１よりも長く、凹所６の幅Ｌ２よりも短くなっており、弾性防水テープ１１と凹所６の側面８、８との間隔(弾性パテ材１２の弾性防水テープ１１よりもはみ出た端部の幅)Ｌ５、Ｌ５は５ｍｍ以上で、弾性防水テープ１１と凹所６の底面７との接着幅Ｌ６、Ｌ６は１５ｍｍ以上とされている。
【００１９】
このように、弾性防水テープ１１の幅や厚みを、凹所６の幅や深さよりも小さくすることで、多少の寸法誤差や取付誤差が生じることがあっても、弾性防水テープ１１を凹所６内に収まるように確実に貼着することができるようになっている。
【００２０】
このようにして構成された無目地構造においては、隣接する外壁材１、１の端部外表面４、４に跨って形成した凹所６内に、弾性防水テープ１１及び弾性パテ材１２を収容した状態で表面塗装２０を施しているので、外壁表面を平坦に美しく仕上げて、外壁の美観を向上させることができる。しかも、表面塗装２０や弾性パテ材１２だけでなく、弾性防水テープ１１によっても目地部２を防水しているので、表面塗装２０や弾性パテ材１２が劣化して亀裂等が生じることがあっても、弾性防水テープ１１によって雨水等を遮断して目地部２への侵入を防止することができ、目地部２の防水性を高めることができる。
【００２１】
さらに、外壁材１、１の変形や伸縮に伴って目地部２に外力(引張応力)が作用した場合には、密着一体化した弾性防水テープ１１と弾性パテ材１２の双方がこの引張応力に対抗して、目地幅の変動を規制することになる。
【００２２】
ここで、弾性防水テープ１１のみを貼り付けた場合(図３(ａ)参照)、弾性防水テープ１１を弾性パテ材１２で覆っているが両者を接着せずに滑りが可能となっている場合(図３(ｂ)参照)、弾性防水テープ１１を弾性パテ材１２で覆って両者を接着して一体化した本発明の場合(図３(ｃ)参照)の３パターンにおける目地幅を２倍に拡げるために必要な応力(外壁１ｃｍ当たり)について説明する。
【００２３】
なお、弾性防水テープ１１の幅は目地幅の２倍、弾性パテ材１２の厚みは０．６ｍｍ、弾性防水テープ１１の１００％応力(目地幅を１００％拡げるために必要な応力)は３．１Ｎ／ｃｍ、弾性パテ材１２の１００％応力(目地幅を１００％拡げるために必要な応力)は２．６Ｎ／ｃｍ、弾性パテ材１２の５０％応力(目地幅を５０％拡げるために必要な応力)は１．４Ｎ／ｃｍとする。
【００２４】
図３(ａ)に示す場合では、目地幅を２倍に拡げるために必要な応力は弾性防水テープ１１の１００％応力に相当する３．１Ｎ／ｃｍとなる。図３(ｂ)に示す場合では、弾性防水テープ１１と弾性パテ材１２との間の界面が剥離するため、太線で示すように弾性パテ材１２の伸びる範囲は弾性防水テープ１１の幅(目地幅の２倍)となり、弾性パテ材１２の応力は５０％応力となる。従って、目地幅を２倍に拡げるために必要な応力は、４．５Ｎ／ｃｍ(３．１Ｎ／ｃｍ＋１．４Ｎ／ｃｍ)となる。なお、弾性防水テープ１１の幅が大きくなるほど、弾性パテ材１２の応力は小さくなる。図３(ｃ)に示す場合では、弾性防水テープ１１と弾性パテ材１２とは一体化しているため、太線で示すように弾性パテ材１２の伸びる範囲は目地幅となり、弾性パテ材１２の応力は１００％応力となる。従って、目地幅を２倍に拡げるために必要な応力は、５．７Ｎ／ｃｍ(３．１Ｎ／ｃｍ＋２．６Ｎ／ｃｍ)となる。
【００２５】
このことから、この発明のように弾性防水テープ１１と弾性パテ材１２とを一体化した場合には、弾性防水テープ１１のみで対抗する場合や弾性防水テープ１１と弾性パテ材１２を非接着として対抗する場合と比べて、目地幅を拡げるために必要な応力を大きくすることができ、言い換えれば外壁材１、１の変形や伸縮に伴って目地部２に引張応力が作用したときの目地幅の変動を小さくすることができる。従って、弾性防水テープ１１が元の長さに復帰できない状態まで伸びきってしまったり、弾性防水テープ１１が破断するといった不具合を防止して、良好な防水性を維持することができる。
【００２６】
この発明は、上記実施形態に限定されるものではなく、この発明の範囲内で上記実施形態に多くの修正及び変更を加え得ることは勿論である。例えば、この発明の無目地構造は、図４に示すように、隣接する外壁材１、１の端部同士を突き合わせて、目地部２において隙間が殆どないような外壁に対しても適用可能である。なお、この場合、目地塞ぎ材は使用しないことになるが、上記のように表面塗装２０、弾性パテ材１２、弾性防水テープ１１の３層によって防水するので、良好な防水性を維持することができる。
【図面の簡単な説明】
【００２７】
【図１】この発明の一実施形態に係る外壁の無目地構造を示す一部破断斜視図である。
【図２】同じくその横断面図である。
【図３】比較例を示す図である。
【図４】別の実施形態に係る外壁の無目地構造の横断面図である。
【符号の説明】
【００２８】
１・・外壁材、２・・目地部、３・・目地塞ぎ材、４・・外壁材の外表面、６・・凹所、１１・・弾性防水テープ、１２・・弾性パテ材、１５・・弾性パテ材の外表面、２０・・表面塗装
【図１】
2008063892.tif 000003
【図２】
2008063892.tif 000004
【図３】
2008063892.tif 000005
【図４】
2008063892.tif 000006